(57)【特許請求の範囲】
【請求項１】
カメラのストラップ取付部にストラップを取り付けるためのストラップ取付部品であって、
帯部材と、上記帯部材の幅に対応する幅の中空部を有する中空部材と、を備えており、
上記帯部材は、少なくとも一方の端部に、上記ストラップを着脱可能な接続部が形成されており、
上記帯部材には、輪が形成されており、
上記帯部材が折り返されて上記輪の両面が上記中空部材に通されることにより、上記帯部材の折り返し部に、上記ストラップ取付部に掛止する掛止部が形成されるとともに、上記輪が上記接続部を構成することを特徴とするストラップ取付部品。
【請求項２】
上記帯部材は、一方の端部に上記接続部を備えており、他方の端部にさらに輪を備えており、
上記中空部材は、上記他方の端部の輪に通されており、
上記帯部材を折り返すとともに、上記一方の端部を上記中空部材に通すことにより、上記掛止部が形成されることを特徴とする請求項１に記載のストラップ取付部品。
【請求項３】
上記帯部材は、一方の端部に上記接続部を備えており、
上記中空部材は、上記帯部材の他方の端部に固定されており、
上記帯部材を折り返すとともに、上記一方の端部を上記中空部材に通すことにより、上記掛止部が形成されることを特徴とする請求項１に記載のストラップ取付部品。
【請求項４】
上記帯部材は、両端に上記接続部を備えており、
上記帯部材を上記中空部材に通した状態で、上記帯部材を折り返すとともに、上記帯部材の端部を上記中空部材に通すことにより、上記掛止部が形成されることを特徴とする請求項１に記載のストラップ取付部品。
【請求項５】
上記中空部材の中空部は、幅方向に沿って設けられた仕切りによって分割されていることを特徴とする請求項１〜４の何れか１項に記載のストラップ取付部品。
【請求項６】
上記帯部材は、織物からなり、
上記接続部は、上記織物の端部を折り返して上記織物同士を縫い合わせることにより形成されていることを特徴とする請求項１〜５の何れか１項に記載のストラップ取付部品。
【請求項７】
上記帯部材の上記少なくとも一方の端部の上記接続部には、上記中空部よりも大きい径を有する二重カンが接続されることを特徴とする請求項１〜６の何れか１項に記載のストラップ取付部品。
【請求項８】
請求項１〜７の何れか１項に記載のストラップ取付部品と、上記帯部材の端部の上記接続部に接続されたストラップと、を備えていることを特徴とするストラップセット。
【請求項９】
請求項１〜７の何れか１項に記載のストラップ取付部品と、上記帯部材の端部の上記接続部に着脱する着脱部と、上記着脱部と接続されたストラップと、を備えていることを特徴とするストラップセット。
【請求項１０】
上記帯部材は、織物からなり、
上記織物の端部と、上記織物の中央部とは、超音波溶着加工、高周波溶着加工、及び熱溶着加工からなる群から選択された少なくとも１つにより接着されていることを特徴とする請求項１〜５の何れか１項に記載のストラップ取付部品。
【請求項１１】
上記接着されている箇所は縫い合わされていることを特徴とする請求項１０に記載のストラップ取付部品。
【請求項１２】
上記ストラップは、上記着脱部を覆う保護部を備えていることを特徴とする請求項９に記載のストラップセット。
【発明の詳細な説明】
【技術分野】
【０００１】
本発明は、カメラにストラップを取り付けるためのストラップ取付部品、及びストラップセットに関する。
【背景技術】
【０００２】
カメラにショルダーストラップ等を取り付けて持ち運びを容易にするために、カメラ本体には、上方側左右の２箇所にストラップ取付部が設けられている。ストラップ取付部の形態は、従来から国内外を問わず、カメラのシャーシと一体化した環状の掛止部、及びカメラ本体に固定された吊り金具の何れかの形態が一般化している。
【０００３】
環状の掛止部を備えたカメラにストラップを取り付ける場合、左右両方に設けられた掛止部のそれぞれにストラップを巻き回す。また、吊り金具を備えたカメラにストラップを取り付ける場合、吊り具に設けられた穴に丸型または三角形等の二重カンを取り付け、この二重カンにストラップを巻き回す。
【０００４】
カメラに三脚を取り付けて撮影する際、ストラップを取り付けたままの状態では、ストラップが垂れ下がり、撮影の邪魔になってしまう。また、内部に仕切り板などを設けたカメラ専用のバッグ等にカメラを収納する場合、ストラップを取り付けたままの状態では、ストラップが邪魔になり収納し難い。そのため、撮影時や収納時にストラップを取り外すことができるよう、カメラへの着脱が容易なストラップ、または、カメラへの着脱を容易とする取付方法が望まれている。
【０００５】
しかしながら、上述した従来のストラップの取り付け方法では、ストラップの着脱が容易ではない。特に、カメラのストラップ取付部に帯状の織物からなるストラップを巻き回し、コキで固定する取り付け方法の場合、着脱は容易ではない。
【０００６】
そこで、ストラップの端部にナスカンなどのレバー開閉式の着脱部材を取り付け、ナスカンを介してカメラにストラップを取り付ける方法が提案されている。このような取り付け方法によれば、容易にストラップを着脱することができる。
【０００７】
また、カメラのストラップ取付部として、カメラ本体から突出した頭部と軸部とからなるストラップピンも存在し、特許文献１には、このようなストラップピンに容易に着脱することができるストラップ用取り付け金具が開示されている。
【先行技術文献】
【特許文献】
【０００８】
【特許文献１】特開２０１３−２４６２２５号公報（２０１３年１２月９日公開）
【発明の概要】
【発明が解決しようとする課題】
【０００９】
しかしながら、ナスカンを介してカメラにストラップを取り付けた場合、ナスカンとストラップ取付部とが擦れることによりストラップ取付部に傷が付いてしまい、また、ナスカンがカメラに干渉することによりカメラ本体に傷が付いてしまう。
【００１０】
また、特許文献１のストラップ用取り付け金具は、カメラ本体から突出した形状のストラップピンに取り付け可能なものである。また、上記ストラップ用取り付け金具は、広く普及している環状の掛止部または吊り金具のストラップ取付部を備えたカメラに対して汎用的に取り付けることができるものではない。
【００１１】
本発明は、上記の問題点に鑑みてなされたものである。その目的は、カメラへのストラップの取り付けに汎用的に用いることができ、カメラへのストラップの着脱を容易とすることができる。その上、カメラとストラップとの干渉によりカメラ本体に傷を付けることを抑制したストラップ取付部品及びストラップセットを提供することにある。
【課題を解決するための手段】
【００１２】
上記の課題を解決するために、本発明のストラップ取付部品は、カメラのストラップ取付部にストラップを取り付けるためのストラップ取付部品であって、帯部材と、上記帯部材の幅に対応する幅の中空部を有する中空部材と、を備えており、上記帯部材は、少なくとも一方の端部に、上記ストラップを着脱可能な接続部を備えており、上記帯部材を折り返して上記中空部材に通すことにより、上記帯部材の折り返し部に、上記ストラップ取付部に掛止する掛止部が形成されることを特徴とする。
【００１３】
上記の構成によれば、帯部材を折り返して上記中空部材に通すことにより、帯部材の折り返し部に、ストラップ取付部に掛止する掛止部が形成される。これにより、様々なカメラのストラップ取付部に対して、本発明のストラップ取付部品を汎用的に取り付けることができる。
【００１４】
また、帯部材は、少なくとも一方の端部に、ストラップを着脱可能な接続部を備えている。そのため、本発明のストラップ取付部品を介して間接的に、カメラにストラップを着脱することができる。これにより、例えばストラップの端部にナスカンを設けることによって、カメラへのストラップの着脱を容易にするとともに、金属製のナスカンとカメラが干渉することによるカメラへの傷の発生を抑制することができる。
【００１５】
上記帯部材は、一方の端部に上記接続部を備えており、他方の端部に輪を備えており、上記中空部材は、上記輪に通されており、上記帯部材を折り返すとともに、上記一方の端部を上記中空部に通すことにより、上記掛止部が形成される構成であってもよい。
【００１６】
上記の構成によれば、中空部材は、帯部材の輪に通されて帯部材と一体となっているため、ストラップ取付部品をカメラ側のストラップ取付部から取り外した状態において、中空部材が紛失するおそれがない。
【００１７】
上記帯部材は、一方の端部に上記接続部を備えており、上記中空部材は、上記帯部材に固定されており、上記帯部材を折り返すとともに、上記一方の端部を上記中空部材に通すことにより、上記掛止部が形成される構成であってもよい。
【００１８】
上記帯部材は、両端に上記接続部を備えており、上記帯部材を上記中空部材に通した状態で、上記帯部材を折り返すとともに、上記帯部材の端部を上記中空部材に通すことにより、上記掛止部が形成される構成であってもよい。
【００１９】
上記の構成によれば、帯部材の両端の接続部にストラップを接続することができる。そのため、ストラップ取付部品を介して、例えば、ショルダーストラップとハンドストラップ等の複数のストラップをカメラに取り付けることができる。
【００２０】
上記中空部材の中空部は、幅方向に沿って設けられた仕切りによって分割されている構成であってもよい。
【００２１】
上記の構成によれば、折り返された上記帯部材の端部を中空部に通した状態において、帯部材が中空部の内壁に挟まれることによって、帯部材が中空部材から抜け難くなるという効果を奏する。
【００２２】
また、上記の構成によれば、ハンドストラップとショルダーストラップなど、複数のストラップを接続することができる。
【００２３】
上記帯部材は、織物からなり、上記接続部は、上記織物の端部を折り返して上記織物同士を縫い合わせることにより形成されている構成であってもよい。
【００２４】
上記の構成によれば、ストラップ取付部品を高強度とすることができる。
【００２５】
上記帯部材の上記少なくとも一方の端部の上記接続部には、上記中空部よりも大きい径を有する二重カンが接続される構成であってもよい。
【００２６】
上記の構成によれば、例えばストラップの端部にナスカンを設けることによって、カメラへのストラップの着脱をさらに容易にすることができる。また、中空部よりも大きい径を有する二重カンが接続されることによって、中空部材を通された帯部材の端部が中空部材から外れ難くなる。
【００２７】
また、上記の課題を解決するために、本発明のストラップセットは、上記ストラップ取付部品と、上記帯部材の端部の上記接続部に接続されたストラップと、を備えていることを特徴とする。
【００２８】
本発明のストラップセットは、上記ストラップ取付部品と、上記帯部材の端部の上記接続部に着脱する着脱部と、上記着脱部と接続されたストラップと、を備えていることを特徴とする。
【００２９】
上記の構成によれば、着脱部を用いてストラップとカメラとを着脱することができる。つまり、ストラップをカメラから容易に着脱することができる。よって、ストラップを様々なカメラに幅広く対応させることができる。
【００３０】
また、例えば、従来の一般的な既存のストラップであっても、そのストラップの端部にナスカンを取り付けることで、既存のストラップを着脱式のストラップにすることができる。つまり、ユーザが既に使っているストラップをそのまま活用することができる。
【００３１】
上記帯部材は、織物からなり、上記織物の端部と、上記織物の中央部とは、超音波溶着加工、高周波溶着加工、及び熱溶着加工からなる群から選択された少なくとも１つにより接着されていてもよい。
【００３２】
上記の構成によれば、ストラップ取付部品を高強度とすることができる。
【００３３】
上記接着されている箇所は縫い合わされていてもよい。
【００３４】
上記の構成によれば、織物の端部と織物の中央部とが溶着加工により接着された後に、その接着された箇所を縫い合わせるため、織物の端部と織物の中央部とが既に接着された状態で、縫い合わせの工程に移ることができる。また、溶着加工により接着された箇所がさらに縫い合わされるため、ストラップ取付部品をさらに高強度とすることができる。よって、製造工程の効率化を図ることができるとともに、ストラップ取付部品の強度をさらに向上させることができる。
【００３５】
上記ストラップは、上記着脱部を覆う保護部を備えていてもよい。
【００３６】
上記の構成によれば、着脱部がカメラに干渉することによるカメラの損傷を抑制することができる。
【発明の効果】
【００３７】
本発明によれば、カメラへのストラップの取り付けに汎用的に用いることができ、カメラへのストラップの着脱を容易とし、かつ、カメラとストラップとの干渉によりカメラ本体に傷を付けることを抑制したストラップ取付部品及びストラップセットを提供することができる。
【図面の簡単な説明】
【００３８】
【図１】本発明の実施形態１に係るシングルカプラーを示す概略図であり、（ａ）はシングルカプラーの斜視図であり、（ｂ）は織物テープの側面図であり、（ｃ）はサルカンの斜視図である。
【図２】ショルダーストラップをカメラに取り付けた状態を示す図である。
【図３】シングルカプラーをカメラに取り付ける際の手順を示す概略図であり、（ａ）はカメラに取り付ける前のシングルカプラーの形状を示し、（ｂ）はカメラに取り付けたときのシングルカプラーの形状を示し、（ｃ）はさらに二重カンを取り付けた状態を示す。
【図４】変形例に係るシングルカプラーを説明するための図であり、（ａ）は他の例に係るサルカンの概略図であり、（ｂ）は他の例に係るサルカン使用例を示す概略図である。
【図５】変形例に係るシングルカプラーを説明するための図であり、（ａ）は他の例に係る織物テープの概略図であり、（ｂ）はさらに他の例に係る織物テープの概略図である。
【図６】変形例に係るシングルカプラーを説明するための図であり、（ａ）は他の例に係るシングルカプラーの概略図であり、（ｂ）はさらに他の例に係るシングルカプラーの概略図である。
【図７】変形例に係るシングルカプラーを説明するための図であり、（ａ）はシングルカプラーの二重カンにナスカンを掛止した状態を示す概略図であり、（ｂ）はシングルカプラーに直接ナスカンを掛止した状態を示す概略図であり、（ｃ）はシングルカプラーの両方の輪に二重カンを取り付けた状態を示す概略図である。
【図８】変形例に係るシングルカプラーを説明するための図であり、（ａ）〜（ｈ）は弾性樹脂テープを用いたシングルカプラーの概略図である。
【図９】本発明の実施形態２に係るダブルカプラーをカメラに取り付ける際の手順を示す概略図であり、（ａ）はダブルカプラーの織物テープを示し、（ｂ）はカメラに取り付ける前のダブルカプラーの形状を示し、（ｃ）はカメラに取り付けたときのダブルカプラーの形状を示す。
【図１０】ダブルカプラー１０１の使用例を示したものであり、（ａ）はテープ長さを最小にした状態を示し、（ｂ）はテープ長さを最大にした状態を示す。
【図１１】変形例に係るダブルカプラーを説明するための図であり、（ａ）は他の例に係るダブルカプラーの概略図であり、（ｂ）はさらに他の例に係るダブルカプラーの概略図である。
【図１２】アイレット構造を有するストラップ取付部を備えたカメラにシングルカプラーを取り付けた状態を示す図である。
【図１３】ショルダーストラップとカメラとを分解した状態を示す図である。
【図１４】保護プロテクターがナスカンを覆う状態を示す図である。
【図１５】ユーザがショルダーストラップを肩に掛けている状態を示す図であり、（ａ）は、１点吊りかつ首掛けの状態を示しており、（ｂ）は、１点吊りかつ斜め掛けの状態を示しており、（ｃ）は、ショルダーストラップからカメラを外した状態を示しており、（ｄ）は、２点吊りかつ首掛けの状態を示している。
【発明を実施するための形態】
【００３９】
以下、本発明の実施形態について、図１〜図８に基づいて詳細に説明する。以下の説明では、本発明に係るストラップ取付部品について、ショルダーストラップをカメラに取り付ける際の使用例を挙げて説明する。なお、ストラップ取付部品は、ショルダーストラップ以外の種類の様々なストラップをカメラに取り付ける際に用いることができる。
【００４０】
〔実施形態１〕
図１は、本実施形態に係るシングルカプラーを示す概略図であり、（ａ）はシングルカプラーの斜視図であり、（ｂ）は織物テープの側面図であり、（ｃ）はサルカンの斜視図である。
【００４１】
図２は、ショルダーストラップをカメラに取り付けた状態を示す図である。
【００４２】
図２に示すように、ショルダーストラップ４０は、シングルカプラー１を介してカメラ３０に取り付けることができる。
【００４３】
具体的には、シングルカプラー１は、カメラ３０に設けられた環状のストラップ取付部３１に取り付けることができ、かつ、ショルダーストラップ４０を容易に着脱することができる。これにより、シングルカプラー１を介して、ショルダーストラップ４０を間接的にカメラ３０に取り付けることができる。
【００４４】
このように、シングルカプラー１は、カメラ３０とショルダーストラップ４０との間に介在し、ショルダーストラップ４０を間接的にカメラ３０に取り付けるための接続部品である。
【００４５】
なお、シングルカプラー１には、ショルダーストラップ４０の形態に関わらず、様々なタイプのショルダーストラップ４０を着脱することができるが、特定のショルダーストラップ４０と合わせてストラップセット１００として扱うこともできる。
【００４６】
＜シングルカプラーの構成＞
図１の（ａ）に示すように、シングルカプラー１（ストラップ取付部品）は、織物テープ１０（帯部材）と、サルカン２０（中空部材）とを備えている。
【００４７】
織物テープ１０は、糸が縦横に組み合わされてなる帯状の部材である。
【００４８】
織物テープ１０の幅及び厚みは、カメラ３０のストラップ取付部３１に通すことができる程度である。一般的なカメラ３０のストラップ取付部３１は、幅が約１０ｍｍの環状部材であり、このようなストラップ取付部３１に通すことができるように、織物テープ１０の幅及び厚みは、幅８〜１０ｍｍ、厚み１〜２ｍｍであることが好ましい。
【００４９】
また、織物テープ１０の長さは用途に応じて適宜設計することができる。シングルカプラー１からショルダーストラップ４０を取り外し、カメラ３０にシングルカプラー１のみが取り付けられた状態を考える。この状態において、シングルカプラー１が垂れ下がって撮影時に邪魔にならないにようにするために、織物テープ１０の長さは約５ｃｍ程度であることが好ましい。
【００５０】
また、図１の（ｂ）に示すように、織物テープ１０は、その両端が内側に折り返され、端部同士が突き合わされた状態で、中央部分（中央部）で織物同士を縫い合わされることによって、両端に形成された環状の輪１１・１２（接続部）を備えている。
【００５１】
なお、織物テープ１０の縫い合わせは閂止め縫製であることが好ましい。これにより、織物テープ１０の耐荷重性を向上させることができる。また、シングルカプラー１の製造工程において、織物テープ１０を縫い合わせる工程では、超音波溶着加工による熱溶着で織物テープ１０を仮止めし、その後、閂止め縫製や刺繍など、ミシンによる縫製で縫い合わせることが好ましい。これにより、製造工程の効率化を図ることができるとともに、縫い合わせ強度を向上させることができる。
【００５２】
織物テープ１０は糸が縦横に組み合わされてなる織物からなる部材であるため、カメラ３０と干渉しても、カメラ本体およびカメラ３０のストラップ取付部３１に傷が付くことがない。さらに、織物テープ１０は、一般的なカメラ３０の重量に基づいて要求される強度に比べて、十分に高い強度を有している。さらに、織物は従来のストラップの素材としても利用されており、織物テープ１０を備えるシングルカプラー１に、織物素材からなるショルダーストラップ４０を接続したときに、その外観に違和感がなく、安心して使用することができる。
【００５３】
なお、織物テープ１０に代えて、帯状の革、帯状の合皮、または帯状の弾性樹脂素材を用いてもよい。帯状の革、帯状の合皮、または帯状の弾性樹脂素材を用いた場合も同様に、カメラ３０に干渉した場合のカメラ３０の損傷を抑制することができる。
【００５４】
図１の（ａ）および（ｃ）に示すようにサルカン２０は、織物テープ１０の幅に対応する幅の略四角形状の中空部２１を有している。また、サルカン２０は、織物テープ１０の一方の輪１１に通されている。サルカン２０の材料は特に限定されないが、例えば樹脂により成形することができる。
【００５５】
＜カメラへの取り付け＞
図３は、シングルカプラーをカメラに取り付ける際の手順を示す概略図である。図３において、（ａ）はカメラに取り付ける前のシングルカプラーの形状を示し、（ｂ）はカメラに取り付けたときのシングルカプラーの形状を示し、（ｃ）はさらに二重カンを取り付けた状態を示す。
【００５６】
以下、図３を参照して、シングルカプラー１をカメラ３０に取り付ける手順を説明する。
【００５７】
第一に、図３の（ａ）に示す織物テープ１０の端部のうち、サルカン２０を通していない方の輪１２が形成された端部を、カメラ３０のストラップ取付部３１に通す。
【００５８】
次に、図３の（ｂ）に示すように、内側にストラップ取付部３１を挟むようにして織物テープ１０を折り返すとともに、ストラップ取付部３１に通した端部をサルカン２０の中空部２１に通す。これにより、織物テープ１０とサルカン２０とによって、織物テープ１０の折り返し部の近傍に、ストラップ取付部３１に掛止される閉じた輪１３（掛止部）が形成された状態を維持することができ、シングルカプラー１をカメラ３０に固定することができる。
【００５９】
次に、図３の（ｃ）に示すように、輪１２に二重カン２を取り付ける。このように、輪１２は、二重カン２を取り付けることによって、ショルダーストラップ４０を接続可能となっている。また、二重カン２にショルダーストラップ４０を取り付けることによって、二重カン２を介してシングルカプラー１にショルダーストラップ４０を取り付けることができる。
【００６０】
以上の手順により、シングルカプラー１を、様々なカメラ３０のストラップ取付部３１、さらには双眼鏡のストラップ取付部に対して、汎用的に取り付けることができる。そのため、本実施形態のシングルカプラー１を介して、間接的にカメラ３０にショルダーストラップ４０を取り付けることができる。
【００６１】
また、複数のカメラ３０を用いて撮影を行う場合、各カメラ３０にシングルカプラー１を取り付けておくことで、１つのショルダーストラップ４０を各カメラ３０に容易に付け替えることができる。
【００６２】
なお、例えばショルダーストラップ４０の端部にナスカン４１を設けることによって、二重カン２を介してシングルカプラー１へのショルダーストラップ４０の着脱を容易にすることができる。また、回転軸部を備えるナスカン４１を用いることによって、ショルダーストラップ４０のねじれを解消することができる。なお、金属製のナスカン４１を用いた場合であっても、カメラ３０とナスカン４１との間にシングルカプラー１が介在するため、ナスカン４１とカメラ３０との干渉を抑制することができ、カメラ３０への傷の発生を抑制することができる。
【００６３】
さらに、ショルダーストラップ４０の端部にナスカン４１を設ける場合、ナスカン４１を覆う保護プロテクター（図示せず）を設けてもよい。これにより、ナスカン４１がカメラ３０に干渉することによるカメラ３０の損傷をさらに抑制することができる。
【００６４】
また、二重カン２として、サルカン２０の中空部２１よりも大きい径の二重カン２を取り付けることによって、輪１２が形成された端部がサルカン２０から抜けることを防止することができる。
【００６５】
（変形例１）
図４は、変形例に係るシングルカプラーを説明するための図であり、（ａ）は他の例に係るサルカンの概略図であり、（ｂ）は他の例に係るサルカン使用例を示す概略図である。
【００６６】
シングルカプラー１は、サルカン２０に代えて、図４の（ａ）に示すサルカン２０Ａを備えていてもよい。
【００６７】
図４の（ａ）に示すように、サルカン２０Ａの中空部２１Ａには、幅方向に沿った仕切り２４Ａが設けられている。仕切り２４Ａによって、中空部２１Ａは、第１中空部２２Ａと第２中空部２３Ａとに２分割されている。第１中空部２２Ａと第２中空部２３Ａの大きさは同じであってもよいし、一方が他方よりも大きくてもよい。第１中空部２２Ａと第２中空部２３Ａの大きさは、織物テープ１０が抜けないようにするために、織物テープ１０の厚みと概ね同等であることが好ましい。
【００６８】
本変形例のように、中空部２１Ａが複数に分割されている場合を考える。この場合、例えば、輪１２が形成された端部を第２中空部２３Ａに通した状態において、織物テープ１０が中空部２３Ａの内壁に挟まれることによって、織物テープ１０がサルカン２０Ａから抜け難くなるという効果を奏する。
【００６９】
また、例えば、図４の（ｂ）に示すように、第１中空部２２Ａ及び第２中空部２３Ａに織物テープ１０を通し、第１中空部２２Ａにハンドストラップ５０を通すことによって、シングルカプラー１を介して複数のストラップをカメラ３０に取り付けることができる。
【００７０】
（変形例２）
図５は、変形例に係るシングルカプラーを説明するための図であり、（ａ）は他の例に係る織物テープの概略図であり、（ｂ）はさらに他の例に係る織物テープの概略図である。
【００７１】
シングルカプラー１は、織物テープ１０に代えて、図５の（ａ）に示す織物テープ１０Ａまたは図５の（ｂ）に示す織物テープ１０Ｂを備えていてもよい。
【００７２】
図５の（ａ）に示すように、織物テープ１０Ａは、その両端が内側に折り返され、端部同士が間隔を空けた状態で、中央部分で縫い合わされることによって、両端に形成された環状の輪１１Ａ・１２Ａ（接続部）を備えている。
【００７３】
また、図５の（ｂ）に示すように、織物テープ１０Ｂは、帯状の織物テープ１０Ｃと環状の織物テープ１０Ｄとからなり、織物テープ１０Ｃの両端が内側に折り返された状態である。また、織物テープ１０Ｃの中央部分を覆うように織物テープ１０Ｄを被せ、織物テープ１０Ｃと織物テープ１０Ｄとを縫い合わされることによって、両端に環状の輪１１Ｂ・１２Ｂ（接続部）が形成されている。
【００７４】
以上のように、本実施形態のシングルカプラー１において、織物テープ１０は、両端に輪１１・１２を備えており、少なくとも何れか一方の輪がストラップを接続可能であればよく、輪を形成する方法は特に限定されない。
【００７５】
（変形例３）
図６は、変形例に係るシングルカプラーを説明するための図であり、（ａ）は他の例に係るシングルカプラーの概略図であり、（ｂ）はさらに他の例に係るシングルカプラーの概略図である。
【００７６】
図６の（ａ）及び（ｂ）に示すように、織物テープの輪１１・１２の部分の長さをアイ長さとし、カメラ３０に取り付けたときにサルカン２０からはみ出している部分の長さをテープ長さとする。
【００７７】
一例として、図６の（ａ）に示す織物テープ１０Ｅは、アイ長さが１５ｍｍであり、テープ長さが１５ｍｍである。また、他の例として、図６の（ｂ）に示す織物テープ１０Ｆは、アイ長さが１５ｍｍであり、テープ長さが５０ｍｍである。
【００７８】
テープ長さを長くすることによって、シングルカプラー１に取り付けたショルダーストラップ４０のナスカン４１とカメラ３０との間の距離が大きくなり、ナスカン４１とカメラ３０との干渉を抑制することができる。
【００７９】
一方、テープ長さを短くすることによって、ショルダーストラップ４０を外して撮影を行う際に、シングルカプラー１が自立し、シングルカプラー１の垂れ下がりを抑制することができる。また、アイ長さを短くすることによって、シングルカプラー１に取り付けた二重カン２の垂れ下がりを抑制することができる。これにより、撮影時にシングルカプラー１及び二重カン２が邪魔になることを抑制することができる。
【００８０】
以上のように、アイ長さ及びテープ長さは、使用環境や用途に応じて適宜設計することができる。
【００８１】
（変形例４）
図７は、変形例に係るシングルカプラーを説明するための図であり、（ａ）はシングルカプラーの二重カンにナスカンを掛止した状態を示す概略図であり、（ｃ）はシングルカプラーの両方の輪に二重カンを取り付けた状態を示す概略図である。
【００８２】
上記の説明では、図７の（ａ）に示すように、本実施形態のシングルカプラー１に二重カン２を取り付け、ショルダーストラップ４０のナスカン４１を二重カン２に掛止する場合を例示した。しかし、本実施形態のシングルカプラー１の使用方法はこれに限られない。
【００８３】
すなわち、図７の（ｂ）に示すように、織物テープ１０の輪１２に直接、ショルダーストラップ４０のナスカン４１を掛止してもよい。このように、二重カン２を用いない場合であっても、輪１２がナスカン４１を着脱可能であれば、シングルカプラー１を介してカメラ３０にショルダーストラップ４０を取り付けることができる。また、二重カン２を用いないことにより、二重カン２がカメラ３０に干渉することによるカメラ３０の損傷を抑制することができる。
【００８４】
ここで、ショルダーストラップ４０をねじれがない状態で肩に掛ける場合、ショルダーストラップ４０は、その幅方向が、カメラ３０の側面または上面と平行となった状態で肩に掛けられる。
【００８５】
図７の（ａ）に示すように、二重カン２を介してシングルカプラー１の輪１２にナスカン４１を掛止した場合を考える。この場合、二重カン２とナスカン４１とが交差するため、ショルダーストラップ４０を肩に掛けたとき、ナスカン４１の横幅方向がショルダーストラップ４０の幅方向に対して直交する。保護プロテクターの内部の収容部は、ショルダーストラップ４０の幅方向に広く、ショルダーストラップ４０の厚み方向に狭く設計されている。このため、保護プロテクターでナスカン４１を覆い難くなり、また、保護プロテクターでナスカン４１を覆うと保護プロテクターの膨らみが大きくなる。
【００８６】
これに対して、図７の（ｂ）に示すように、二重カン２を用いることなく、シングルカプラー１の輪１２に直接ナスカン４１を掛止した場合を考える。この場合、ショルダーストラップ４０を肩に掛けたとき、ナスカン４１の横幅方向がショルダーストラップ４０の幅方向と平行になる。そのため、保護プロテクターでナスカン４１を覆い易くなり、また、保護プロテクターでナスカン４１を覆ったときの保護プロテクターの膨らみを小さくすることができる。
【００８７】
また、上記の説明では、シングルカプラー１の輪１１・１２のうち輪１２のみに二重カン２を取り付ける場合を例示したが、図７の（ｃ）に示すように、シングルカプラー１の両方の輪１１・１２に二重カン２Ａ・２Ｂを取り付けてもよい。すなわち、織物テープ１０の一方の端部の輪１１には二重カン２Ａ（接続部）を取り付け、他方の端部の輪１２には二重カン２Ｂ（接続部）を取り付けてもよい。
【００８８】
（変形例５）
図８は、変形例に係るシングルカプラーを説明するための図であり、（ａ）〜（ｈ）は弾性樹脂テープを用いたシングルカプラーの概略図である。
【００８９】
図８の（ａ）〜（ｈ）に示すシングルカプラー１は、織物テープ１０に代えて弾性樹脂テープ１０Ｇを備えており、弾性樹脂テープ１０Ｇとサルカン２０Ｂ（２０Ｃ）とが弾性樹脂素材により一体成形されている。このように、帯部材としての弾性樹脂テープ１０Ｇと、中空部材としてのサルカン２０Ｂ（２０Ｃ）とは、一体型の部材であってもよい。一体成形により弾性樹脂テープ１０Ｇに固定されたサルカンは、１つの中空部を備えたサルカン２０Ｂであってもよいし、中空部が２分割されたサルカン２０Ｃであってもよい。
【００９０】
弾性樹脂テープ１０Ｇは、図８の（ａ）・（ｃ）・（ｅ）・（ｇ）に示すように、一端に環状の輪１２Ｃ（接続部）を備えており、他端にサルカン２０Ｂ（２０Ｃ）が一体成形により設けられていてもよい。また、弾性樹脂テープ１０Ｇは、図８の（ｂ）・（ｄ）に示すように、一端に環状の輪１２Ｃ（接続部）を備えており、他端に長方形状の孔部１１Ｃ（接続部）を備えており、他端近傍にサルカン２０Ｂ（２０Ｃ）が一体成形により設けられていてもよい。さらに、弾性樹脂テープ１０Ｇは、図８の（ｆ）・（ｈ）に示すように、一端に環状の輪１２Ｃ（接続部）を備えており、他端に環状の輪１１Ｄ（接続部）を備えており、他端近傍にサルカン２０Ｂ（２０Ｃ）が一体成形により設けられていてもよい。
【００９１】
〔実施形態２〕
本発明の他の実施例について、図９〜図１１に基づいて説明すれば、以下の通りである。なお、説明の便宜上、前記実施形態にて説明した部材と同じ機能を有する部材については、同じ符号を付記し、その説明を省略する。
【００９２】
図９は、本実施形態に係るダブルカプラーをカメラに取り付ける際の手順を示す概略図である。図９において、（ａ）はダブルカプラーの織物テープを示し、（ｂ）はカメラに取り付ける前のダブルカプラーの形状を示し、（ｃ）はカメラに取り付けたときのダブルカプラーの形状を示す。
【００９３】
＜ダブルカプラーの構成＞
図９の（ｂ）に示すように、本実施形態のダブルカプラー１０１（ストラップ取付部品）は、織物テープ１１０（帯部材）と、サルカン２０とを備えている。
【００９４】
織物テープ１１０は、実施形態１のシングルカプラー１の織物テープ１０と同様に、その両端が内側に折り返されて中央部分で縫い合わされることによって、両端に形成された環状の輪１１１・１１２（接続部）を備えている。ただし、織物テープ１１０の輪１１１・１１２は、シングルカプラー１の織物テープ１０の輪１１・１２よりも小さい。
【００９５】
また、図３を参照して説明したように、シングルカプラー１のサルカン２０は、織物テープ１０の一方の輪１１に通されている。これに対して、ダブルカプラー１０１のサルカン２０は、図９の（ｂ）に示すように輪１１１に通されておらず、織物テープ１１０は、その端部からサルカン２０に通された状態となっている。
【００９６】
＜カメラへの取り付け＞
以下、図９を参照して、ダブルカプラー１０１をカメラ３０に取り付ける手順を説明する。
【００９７】
第一に、図９の（ｂ）に示すように、織物テープ１１０を端部からサルカン２０に通す。さらに、織物テープ１１０の一方の輪１１１に二重カン２Ａを取り付ける。次に、織物テープ１１０の端部のうち、二重カン２Ａを取り付けていない方の輪１１２が形成された端部を、カメラ３０のストラップ取付部３１に通す。
【００９８】
次に、図９の（ｃ）に示すように、内側にストラップ取付部３１を挟むようにして織物テープ１１０を折り返すとともに、ストラップ取付部３１に通した端部をサルカン２０の中空部２１に通す。これにより、織物テープ１１０とサルカン２０とによって、織物テープ１１０の折り返し部の近傍に、ストラップ取付部３１に掛止される閉じた輪１１３（掛止部）を形成した状態を維持することができ、ダブルカプラー１０１をカメラ３０に固定することができる。さらに、サルカン２０を通した輪１１２に二重カン２Ｂを取り付ける。このように、輪１１２に二重カン２Ｂを取り付けることによって、ナスカン４１を備えたショルダーストラップ４０を容易に着脱することができる。また、二重カン２Ａ・２Ｂとして、サルカン２０の中空部２１よりも大きい径の二重カンを取り付けることによって、輪１１１・１１２が形成された端部がサルカン２０から抜けることを防止することができる。
【００９９】
以上の手順により、ダブルカプラー１０１を、様々なカメラ３０のストラップ取付部３１、さらには双眼鏡のストラップ取付部に対して、汎用的に取り付けることができる。そのため、本実施形態のダブルカプラー１０１を介して、間接的にカメラ３０にショルダーストラップ４０を取り付けることができる。
【０１００】
また、例えばショルダーストラップ４０の端部にナスカン４１を設けることによって、カメラ３０へのショルダーストラップ４０の着脱を容易にすることができる。なお、金属製のナスカン４１を用いた場合であっても、カメラ３０とナスカン４１との間にダブルカプラー１０１が介在するため、ナスカン４１とカメラ３０との干渉を抑制することができ、カメラ３０への傷の発生を抑制することができる。
【０１０１】
図１０は、ダブルカプラー１０１の使用例を示したものであり、（ａ）はテープ長さを最小にした状態を示し、（ｂ）はテープ長さを最大にした状態を示す。
【０１０２】
例えば、ダブルカプラー１０１を介してカメラ３０にショルダーストラップ４０のみを取り付ける場合を考える。この場合、図１０の（ａ）に示すように、サルカン２０から輪１１１までの長さと、サルカン２０から輪１１２までの長さとが等しくなるように、サルカン２０からはみ出す織物テープ１１０の長さを調整する。このとき、テープ長さは最小となる。そして、輪１１１に取り付けた二重カン２Ａと輪１１２に取り付けた二重カン２Ｂとの両方に、ショルダーストラップ４０のナスカン４１を掛止する。
【０１０３】
一方、ダブルカプラー１０１を介してカメラ３０にショルダーストラップ４０及びハンドストラップ５０を取り付ける場合を考える。この場合、図１０の（ｂ）に示すように、サルカン２０から輪１１１までの長さを短くし、サルカン２０から輪１１２までの長さを長くするように、サルカン２０からはみ出す織物テープ１１０の長さを調整する。このとき、テープ長さは最大となる。そして、輪１１１に取り付けた二重カン２Ａにハンドストラップ５０のナスカンを掛止し、輪１１２に取り付けた二重カン２Ｂにショルダーストラップ４０のナスカン４１を掛止する。
【０１０４】
以上のように、ダブルカプラー１０１は、用途に応じて、テープ長さを調整して使用することができる。
【０１０５】
（変形例１）
図１１は、変形例に係るダブルカプラーを説明するための図であり、（ａ）は他の例に係るダブルカプラーの概略図であり、（ｂ）はさらに他の例に係るダブルカプラーの概略図である。
【０１０６】
ダブルカプラー１０１は、織物テープ１１０に代えて、図１１の（ａ）に示す弾性樹脂テープ１１０Ａまたは図１１の（ｂ）に示す弾性樹脂テープ１１０Ｂを備えていてもよい。
【０１０７】
図１１の（ａ）に示す弾性樹脂テープ１１０Ａ（帯部材）は、弾性樹脂素材を一体成形することによって得られる帯状部材である。弾性樹脂テープ１１０Ａは、両端に形成された環状の輪１１１Ａ・１１２Ａ（接続部）を備えている。
【０１０８】
また、図１１の（ｂ）に示す弾性樹脂テープ１１０Ｂ（帯部材）も同様に、弾性樹脂素材を一体成形することによって得られる帯状部材である。弾性樹脂テープ１１０Ｂは、両端に形成された環状の輪１１１Ｂ・１１２Ｂ（接続部）を備えている。
【０１０９】
なお、織物テープ１１０及び弾性樹脂テープ１１０Ａでは、幅方向に沿った接続部としての輪を備えた帯部材である。また、輪の形状は、ショルダーストラップ４０を接続可能であれば特に限定はされず、本変形例の弾性樹脂テープ１１０Ｂのように、厚み方向に沿った接続部である輪を備えた帯部材であってもよい。
【０１１０】
〔実施形態３〕
本発明の他の実施例について、図１２〜図１５に基づいて説明すれば、以下の通りである。なお、説明の便宜上、前記実施形態にて説明した部材と同じ機能を有する部材については、同じ符号を付記し、その説明を省略する。
【０１１１】
＜環状部材を有するカメラにおける従来のストラップの取り付け方法＞
環状部材を有するカメラにおける従来のストラップの取り付け方法には大きく２通りある。１つ目は、カメラのシャーシと一体化した上部の左右２つのストラップ取付部（一般的に幅が約１２ｍｍの環状部材）に、一般的に７ｍｍ〜１０ｍｍの幅を有する帯紐状の織物テープを巻いて取り付ける方法である。具体的には、まずショルダーストラップの織物テープの部分には、事前に、送りカン、移動カン、アジャスター、またはグライダーなどと呼称されている、四角枠の中央に中軸を設けた、ショルダーストラップの長さを調節するための部品が通されている。ショルダーストラップの端部を、ストラップ取付部に通してから上方向に折り返し、ショルダーストラップの長さを調節するための部品の中軸にショルダーストラップの端部を巻いて固定する。
【０１１２】
２つ目は、ストラップ取付部にショルダーストラップの織物テープを巻いて取り付けるのではなく、ショルダーストラップの織物テープの先端部に環状の紐を取り付け、その紐をひばり結びでストラップ取付部に取り付ける方法である。具体的には、環状の紐をストラップ取付部に通し、そのストラップ取付部に通された環状の紐に、織物テープの、ストラップ取付部に通されていない部分を通す。このようにして、ショルダーストラップを、ストラップ取付部にひばり結びで取り付ける。
【０１１３】
＜アイレット構造を有するストラップ取付部を備えたカメラにおける従来のストラップの取り付け方法＞
アイレット構造を有するストラップ取付部を備えたカメラにおける従来のストラップの取り付け方法について説明する。この方法は、カメラの上部の左右２つの、突起した吊り金具構造（アイレット構造）から成るストラップ取付部において、ストラップ取付部の中央に形成された穴に、丸型の二重カンまたは三角形の環状部材である三角カンを取り付ける方法である。二重カンまたは三角カンに、７ｍｍ〜１０ｍｍの幅を有する帯紐状の織物テープを巻いて取り付ける。または、二重カンまたは三角カンに織物テープを巻いて取り付けるのではなく、織物テープの先端部に環状の紐を取り付け、その紐をひばり結びで二重カンまたは三角カンに取り付けてもよい。
【０１１４】
上述した環状部材を有するカメラにおける従来のストラップの取り付け方法は、ショルダーストラップ全体を簡単かつ一瞬にしてカメラの上部の左右２つのストラップ取付部から完全に取り外すことができない。上述したアイレット構造を有するストラップ取付部を備えたカメラにおける従来のストラップの取り付け方法についても同様のことが言える。また、これらの方法では、ショルダーストラップの両方の端部のうち、片方の端部だけを簡単かつ一瞬にして取り外したりすることができない。さらに、ショルダーストラップがカメラに固定され、カメラとショルダーストラップとが一体になっている状態の場合、ショルダーストラップは、ねじれることがある。具体的には、カメラ及びショルダーストラップともに回転部分が設けられていない場合、ショルダーストラップを身体に掛ける動作と身体からショルダーストラップを外す動作とを繰り返す度に、ショルダーストラップがカメラに対してねじれを生じる。このため、ねじれたショルダーストラップを元に戻すためには、逆方向にねじる必要があるため、非常に手間になる。ねじれの状態を正常に戻したとしても、ショルダーストラップを身体に掛ける動作を繰り返す度に、ショルダーストラップには、ねじれが生じる。このように、上述した方法は、非常に手間であることに加えて瞬時に織物テープを取り外すことができないという問題がある。このような問題を解決する構造と効果については、以下に説明する。
【０１１５】
＜アイレット構造を有するストラップ取付部を備えたカメラへの取り付け＞
図１２は、アイレット構造を有するストラップ取付部を備えたカメラにシングルカプラーを取り付けた状態を示す図である。
【０１１６】
以下、図１２を参照して、カメラ３０１にシングルカプラー１を取り付けた状態について説明する。
【０１１７】
図１２に示すように、カメラ３０１の上部の左右には、ストラップ取付部３２が設けられている。ストラップ取付部３２は、アイレット構造を有する。アイレット構造とは、小さい穴を有する構造のことである。ストラップ取付部３２は、カメラ３０１から突出しており、その突出した部分には穴が形成されている。その穴には三角カン４２が通されている。つまり、ストラップ取付部３２には、三角カン４２が取り付けられている。三角カン４２には、シングルカプラー１が取り付けられている。シングルカプラー１において三角カン４２が取り付けられている側とは反対側には、ナスカン４１（着脱部）が取り付けられている。ナスカン４１は、例えば、レバーナスカンやスイベルスナップフックなどの回転軸を備えた吊り金具といった従来の一般的な着脱部品であってもよい。
【０１１８】
三角カン４２は、三角形の環状の形状になっており、シングルカプラー１が上に引っ張られると、上記三角形の頂点にストラップ取付部３２が位置するようになり、上記三角形において上記頂点に対向する辺にシングルカプラー１が位置するようになっている。
【０１１９】
また、カメラ３０１に三角カン４２を介してシングルカプラー１を取り付ける場合、三角カン４２に取り付けたシングルカプラー１がカメラ３０１に傷を付けることはない。ナスカン４１と三角カン４２との間にシングルカプラー１を挟むように、ナスカン４１はカメラ３０１に取り付けられる。これにより、ナスカン４１と三角カン４２との間に、シングルカプラー１が介在することで、ナスカン４１がカメラ３０１にぶつかることがない。よって、シングルカプラー１に接続されるナスカン４１が金属または鋼素材であっても、ナスカン４１はカメラ３０１に対して直接取り付けられるものではないため、カメラ３０１に傷が生じるといった弊害を生じない。
【０１２０】
仮に、カメラ３０１のストラップ取付部３２に取り付けられた三角カン４２に直接ナスカン４１を取り付けた場合、ナスカン４１が三角カン４２において大きく移動する。これにより、ユーザがカメラ３０１を持ち運ぶとき、カメラ３０１が大きく移動する。また、共に金属素材であるナスカン４１と三角カン４２とが互いにぶつかるため、ナスカン４１と三角カン４２とが当たるときに音が生じる。よって、カメラ３０１を用いて動画を撮影するときに、動画に音が入り込む。また、ナスカン４１はカメラ３０１に近いため、カメラ３０１にナスカン４１が当たることで、カメラ３０１に傷が生じる。
【０１２１】
なお、三角カン４２に直接ナスカン４１を取り付けた場合であっても、ナスカン４１の素材をプラスチック素材または樹脂素材にすれば、カメラ３０１に傷が生じることを抑えることができる。しかし、ナスカン４１がプラスチック素材または樹脂素材であり、ならびに、ナスカン４１の大きさが小さい場合、ナスカン４１の耐荷重が小さくなる。よって、ナスカン４１が破損する可能性がある。また、プラスチック素材または樹脂素材のナスカン４１の耐荷重を大きくするために、ナスカン４１の大きさを大きくした場合、カメラ３０１の大きさに対してナスカン４１の大きさが大きくなる。ナスカン４１の大きさが大きくなると、ナスカン４１がユーザの手に当たり易くなり、ユーザがカメラ３０１を扱い難くなる。よって、ナスカン４１は、大きさが比較的小さく、かつ鋼などの金属素材から成るものが好ましい。また、ナスカン４１の大きさは、織物テープ１０の幅８〜１０ｍｍに対応する大きさが好ましい。三角カン４２に直接ナスカン４１を取り付ける構成に、大きさが比較的小さく、かつ鋼などの金属素材から成るナスカン４１を適用すると、カメラ３０１にナスカン４１が当たることで、カメラ３０１に傷が生じる。したがって、三角カン４２に直接ナスカン４１を取り付ける構成は適切ではなく、三角カン４２とナスカン４１との間に、シングルカプラー１が介在する構成が適切である。
【０１２２】
また、カメラ３０１に傷が生じることを防止する対策として、保護プロテクター（図示せず）でナスカン４１及び三角カン４２とを覆うことが考えられる。しかし、三角カン４２に対してナスカン４１は直交して取り付けられるため、保護プロテクターでナスカン４１及び三角カン４２を覆うとき、保護プロテクターが覆う対象が大きくなる。よって、ユーザがカメラ３０１を持つとき、保護プロテクターの膨らみがユーザの手に当たり、ユーザがカメラ３０１を扱い難くなる。
【０１２３】
したがって、ナスカン４１と三角カン４２との間に、シングルカプラー１を介在させることで、ナスカン４１が三角カン４２に対して大きく移動することがなくなる。また、カメラ３０１にノイズを生じることがない。さらに、ナスカン４１がカメラ３０１にぶつかることで、カメラ３０１に傷が生じることがない。保護プロテクターにおいても、シングルカプラー１とナスカン４１とは直交せずに同一の方向に接続されるため、保護プロテクターが覆う対象が大きくならない。よって、保護プロテクターは、ナスカン４１を綺麗に覆うことができる。また、保護プロテクターが覆う対象が大きくならないため、保護プロテクターを大きく設計する必要がない。つまり、三角カン４２に対してナスカン４１が直交して取り付けられる場合と比べて、保護プロテクターを小さく設計することができる。
【０１２４】
＜カメラとショルダーストラップとの間の構造＞
図１３は、ショルダーストラップとカメラとを分解した状態を示す図である。また、図１４は、保護プロテクターがナスカンを覆う状態を示す図である。
【０１２５】
以下、図１３及び図１４を参照して、カメラ３０とショルダーストラップ４０との間の構造について説明する。
【０１２６】
図１３に示すように、ショルダーストラップ４０は、シングルカプラー１及びナスカン４１を介してカメラ３０に取り付けられる。
【０１２７】
具体的には、シングルカプラー１は、カメラ３０に設けられた環状のストラップ取付部３１に取り付けられる。シングルカプラー１の輪１２（カメラ３０が取り付けられている側とは反対側）には、ナスカン４１を介してショルダーストラップ４０が取り付けられる。これにより、ナスカン４１を用いてショルダーストラップ４０とカメラ３０とを着脱することができる。つまり、ショルダーストラップ４０をカメラ３０から容易に着脱することができる。また、シングルカプラー１とショルダーストラップ４０との間に、回転部分であるナスカン４１が設けられることにより、ショルダーストラップ４０がねじれることを防ぐことができる。
【０１２８】
仮に、ショルダーストラップ４０をカメラ３０から着脱することができない場合、ショルダーストラップ４０を身体に掛けずに、カメラ３０を手で持ちながら撮影するとき、大きな環状を有するショルダーストラップ４０がカメラ３０の下方に大きく垂れ下がる。
【０１２９】
カメラ３０を三脚に固定して撮影するとき、カメラ３０から大きな環状を有するショルダーストラップ４０がカメラ３０の下方に大きく垂れ下がる。また、防湿庫に複数台のカメラ３０を収納するときには、各カメラ３０に取り付けられたショルダーストラップ４０は邪魔なものになる。カメラ３０を机上でメンテナンスを行うとき、ショルダーストラップ４０は邪魔なものになる。
【０１３０】
シングルカプラー１の織物テープ１０の縫い合わせは、閂止め縫製の他には、例えば、高周波溶着加工または熱溶着加工であることが好ましい。これにより、織物テープ１０の耐荷重性を向上させることができる。また、シングルカプラー１の製造工程において、織物テープ１０を接着させる工程では、高周波溶着加工または熱溶着加工による溶着で織物テープ１０を仮止めし、その後、閂止め縫製や刺繍など、ミシンによる縫製で縫い合わせることが好ましい。これにより、製造工程の効率化を図ることができるとともに、縫い合わせ強度を向上させることができる。なお、前述した超音波溶着加工による熱溶着、高周波溶着加工、または熱溶着加工による溶着で織物テープ１０を接着させるとき、仮止めを行うことなく、本止めを行ってもよい。
【０１３１】
また、高周波溶着加工または熱溶着加工による溶着、並びに縫製での縫い合わせを組み合わせることで、シングルカプラー１の縫い合わせ部分の強度をさらに向上させることができる。仮に、織物テープ１０の両端と織物テープ１０の中央部分とを両面テープ等で仮止めを行っても、織物テープ１０の両端と織物テープ１０の中央部分とが強く離れようとするため、両面テープが簡単に剥がれてしまう。また、手で織物テープ１０の両端同士を織物テープ１０の中央部分の上で突き合わせながら、ミシン等で織物テープ１０の両端同士を縫い合わせる場合、織物テープ１０の両端が突き合わされた部分がずれたり、その突き合わせ部分に隙間が生じたりする。よって、織物テープ１０の両端同士を綺麗に止めることができない。したがって、量産時の均質化において不良率が上がるという問題がある。
【０１３２】
そこで縫い合わせる前の準備として、事前に、織物テープ１０の両端と織物テープ１０の中央部分とを強固に接着することができる溶着により仮止めしておく。これにより、織物テープ１０の両端同士が中央部分の上で隙間無く綺麗に突き合わされる。また、織物テープ１０の両端に環状の輪１１・１２が形成された状態で、織物テープ１０の縫い合わせ工程に移れる。この溶着された織物テープ１０を工業用のミシンにセットして縫い合わせるとき、織物テープ１０の両端の突き合わせ部分は既に仮止めされた状態になる。このように、縫い合わせる前の準備として、事前に、強固に接着できる溶着で織物テープ１０の両端と織物テープ１０の中央部分とを仮止めまたは本止めしておくことにより、製造工程の効率化を図ることができる。
【０１３３】
高周波溶着加工とは、高周波溶着を行う機械であるウェルダーを用いて、数１０ＭＨｚの高周波（電磁波）エネルギーの電界を作用させることによって、原子レベルまたは分子レベルの電位的な運動により織物テープ１０を発熱させる方法である。熱溶着加工とは、織物テープ１０の外部にある熱源から、熱伝導によって加熱する方法である。
【０１３４】
汎用性に優れたナスカン４１を用いた構成により、各メーカーの様々な機種全般とショルダーストラップ４０とを着脱式にすることができる。様々なカメラに幅広く対応することができるため、上記の構成は汎用性に優れている。
【０１３５】
ショルダーストラップ４０の両端には、ナスカン４１を固定してもよい。つまり、ショルダーストラップ４０とナスカン４１とは一体になっていてもよい。
【０１３６】
シングルカプラー１は、繊維が編み込まれ、厚み１〜２ｍｍの帯紐状の織物テープである。このため、弾性樹脂素材を一体成形した帯部材と比べた場合、引っ張り強度、引き裂き強度、耐磨耗性、及び耐荷重性において高強度である。また、弾性樹脂素材を一体成形した帯部材と比べた場合、シングルカプラー１は、弾性樹脂素材を一体成形するための成型金型を用いずに製造することができるため、成型金型を準備する費用がかからない。よって、製造コストを削減することができる。さらに、シングルカプラー１は、シンプルかつスマートな形状を有しており、小さい部品である。このため、シングルカプラー１は、特に意匠の観点において、カメラ３０のストラップ取付部３１と一体化するようにカメラ３０にマッチする。つまり、シングルカプラー１は、カメラ３０に元々備わっているように見える部品である。
【０１３７】
また、シングルカプラー１は、カメラ３０のストラップ取付部３１に取り付けられた状態で、カメラ３０の底面に対して垂直に直立する。このため、シングルカプラー１は、カメラ３０の左右に垂れ下がらない。さらに、シングルカプラー１は、極めて軽量であるため、カメラ３０の上部の左右２箇所に設けられたストラップ取付部３１に取り付けられても、カメラ３０全体の重量に大きく影響することがない。
【０１３８】
シングルカプラー１は、カメラ３０のストラップ取付部３１（以降、カメラ３０１の場合は三角カン４２に相当）に対して、締め付けられて固定される。このため、シングルカプラー１はストラップ取付部３１に対して移動する余地がない。これにより、シングルカプラー１が三角カン４２に対して大きく移動することがなくなる。よって、シングルカプラー１が勝手に三角カン４２から抜けて、シングルカプラー１を紛失するということは起こらない。また、ストラップ取付部３１の軸部分において、シングルカプラー１がその軸部分の片側に寄ることがない。これにより、ショルダーストラップ４０をユーザの身体に掛けて、ユーザがカメラ３０をぶら下げた状態で持ち運ぶとき、カメラ３０が前方向に傾く状態になることを防ぐことができる。カメラ３０が前方向に傾く状態にならないため、カメラ３０のレンズが下を向くことがない。
【０１３９】
仮に、カメラ３０が前方向に傾く状態になる場合、カメラ３０のレンズが下を向いているため、ユーザは前かがみの姿勢になり難い。また、ユーザがしゃがんだとき、カメラ３０のレンズやストロボを地面にぶつける可能性がある。シングルカプラー１をカメラ３０のストラップ取付部３１に締め付けて固定することで、ユーザが前かがみの姿勢になり難い、及びカメラ３０のレンズやストロボを地面にぶつけるという弊害を回避することができる。
【０１４０】
また、シングルカプラー１は、カメラ３０に正式な取り付け方法で取り付ける部品である。このため、シングルカプラー１を用いたショルダーストラップ４０の取り付け方法は、カメラ３０の底面中央に位置する三脚用のネジ穴を用いてショルダーストラップ４０を取り付けるという方法ではない。よって、三脚用のネジ穴は未使用状態であり、本来三脚を取り付けるためのカメラ３０の底面中央に位置する三脚用のネジ穴を塞ぐことがない。
【０１４１】
ショルダーストラップ４０については、従来の一般的な既存のカメラストラップであっても、そのカメラストラップの端部にナスカン４１を取り付けることで、既存のカメラストラップを着脱式のカメラストラップにすることができる。つまり、ユーザが既に使っているカメラストラップをそのまま活用することができる。
【０１４２】
ストラップセット２００は、図１３に示すように、シングルカプラー１、ナスカン４１、二重カン２Ａ・２Ｂ、及びショルダーストラップ４０を備えている。なお、ストラップセット２００は、二重カン２Ａ・２Ｂを備えてなくてもよい。また、ショルダーストラップ４０は、特定の形態のショルダーストラップに関わらず、様々なタイプのショルダーストラップであってもよい。
【０１４３】
また、ショルダーストラップ４０とナスカン４１との間に二重カン２Ａ・２Ｂを設けてもよい。さらに、ショルダーストラップ４０には、ナスカン４１を覆う保護プロテクター４３（保護部）が設けられている。これにより、ナスカン４１がカメラ３０にぶつかることによるカメラ３０の損傷を抑制することができる。
【０１４４】
具体的には、図１４に示すように、保護プロテクター４３は、釣鐘型の形状になっている。保護プロテクター４３には、ショルダーストラップ４０のベルト４１０が通ることができる大きさを有する第１の穴４３１と、ナスカン４１が通ることができる大きさを有する第２の穴４３２とが形成されている。ベルト４１０の端部に取り付けられているナスカン４１に向かって、保護プロテクター４３が移動することにより、保護プロテクター４３はナスカン４１を覆うことができる。また、第１の穴４３１にはナスカン４１を通すことができないため、ショルダーストラップ４０から保護プロテクター４３が抜けることがない。
【０１４５】
＜保護プロテクターの取り付け方法＞
まず、保護プロテクター４３をベルト４１０に通す。次に、ベルト４１０の端部にナスカン４１を通す。このとき、ナスカン４１ではなく、二重カン２Ａ（二重カン２Ｂ）を通してもよい。ベルト４１０の端部に二重カン２Ａ（二重カン２Ｂ）を通した場合、その二重カン２Ａ（二重カン２Ｂ）にナスカン４１を取り付ける。ベルト４１０の端部にナスカン４１を通した後は、そのベルト４１０を折り返し、ベルト４１０を再度、保護プロテクター４３に通す。その後、保護プロテクター４３を通ったベルト４１０を送りカン４４に固定する。最後に、保護プロテクター４３を下側にスライドさせてナスカン４１を覆う。
【０１４６】
＜ユーザがショルダーストラップを肩に掛ける状態＞
図１５は、ユーザがショルダーストラップを肩に掛けている状態を示す図である。図１５の（ａ）は、１点吊りかつ首掛けの状態を示している。図１５の（ｂ）は、１点吊りかつ斜め掛けの状態を示している。図１５の（ｃ）は、ショルダーストラップからカメラを外した状態を示している。図１５の（ｄ）は、２点吊りかつ首掛けの状態を示している。
【０１４７】
以下、図１５を参照して、ユーザ６０がショルダーストラップ４０を肩に掛ける状態について説明する。なお、ショルダーストラップ４０において、一方の端部を有するベルトをベルト４１０、他方の端部を有するベルトをベルト４２０とする。
【０１４８】
図１５の（ａ）に示すように、ユーザ６０はショルダーストラップ４０により、カメラ３０を１点で吊っており、ショルダーストラップ４０を首に掛けている。１点で吊っている状態とは、カメラ３０に設けられた左右２つのシングルカプラー１のうち、片方のシングルカプラー１にのみ、ショルダーストラップ４０を取り付けている状態である。このとき、カメラ３０に取り付けられている２つのシングルカプラー１のうち、片方のシングルカプラー１のみに、ベルト４２０の端部に二重カン２Ｂを介して取り付けられたナスカン４１が取り付けられる。また、ベルト４１０の端部に二重カン２Ａを介して取り付けられたナスカン４１は、二重カン２Ｂに取り付けられる。
【０１４９】
図１５の（ｂ）に示すように、ユーザ６０はショルダーストラップ４０により、カメラ３０を１点で吊っており、ショルダーストラップ４０を斜め掛けしている。斜め掛けしている状態とは、ショルダーストラップ４０が、ユーザ６０の肩の上と、ユーザ６０の脇の下とを通るように、ユーザ６０がショルダーストラップ４０を掛けている状態である。このとき、カメラ３０とショルダーストラップ４０との間の接続状態は、図１５の（ａ）の場合と同じである。
【０１５０】
図１５の（ｃ）に示すように、カメラ３０がショルダーストラップ４０から取り外されている。このとき、ベルト４１０の端部に二重カン２Ａを介して取り付けられたナスカン４１は、二重カン２Ｂに取り付けられる。これにより、ユーザ６０は、ショルダーストラップ４０を首に掛けたまま、手にカメラ３０を持つことができる。
【０１５１】
図１５の（ｄ）に示すように、ユーザ６０はショルダーストラップ４０により、カメラ３０を２点で吊っており、ショルダーストラップ４０を首に掛けている。このとき、カメラ３０とショルダーストラップ４０との間の接続状態は、図１３の場合と同じである。
【０１５２】
ショルダーストラップ４０は、肩掛け（袈裟掛け、たすき掛け、斜め掛け）の他にも首掛け用としても使用される。カメラ３０に用いられるショルダーストラップ４０の場合はユーザ６０への掛け方が２通りある。ショルダーストラップ４０は、カメラ３０のストラップ取付部３１に取り付けられることにより、１点吊りのとき、２点吊りのとき、三脚を使うとき、及び手持ちで撮影するとき、などに応じて、カメラ３０の支持方法を使い分けて活用される。ショルダーストラップ４０を取り外すなどの作業を行うことで、１点吊りの状態、２点吊りの状態、三脚を使用したときの状態、及び手持ちで撮影するときの状態、などを瞬時に切り替えることができる。
【０１５３】
また、カメラ３０を使用した撮影方式は大きく４通りある。１つ目は、カメラ３０と接続されたショルダーストラップ４０を首掛けまたは肩掛けした状態で撮影する撮影方式である。２つ目は、ショルダーストラップ４０を身体に掛けずに、ショルダーストラップ４０がカメラ３０に接続された状態で、カメラ３０を手で持ちながら撮影する撮影方式である。３つ目は、カメラ３０にショルダーストラップ４０を取り付けない状態、またはショルダーストラップ４０の代わりにハンドストラップ５０をカメラ３０に取り付けた状態で、カメラ３０を手で持ちながら撮影する撮影方式である。４つ目は、一脚または三脚を用いて撮影する撮影方式である。
【０１５４】
これらの４つの撮影方式において、一脚や三脚を用いる撮影、スタジオ撮影、及びロケーション撮影など、撮影のシーンやシチュエーションなどの撮影状況を考える。これらの撮影状況に応じて、カメラ３０の上部の左右のストラップ取付部３１からショルダーストラップ４０を簡単かつ一瞬にして取り付けまたは取り外しができるといった機能性は必要不可欠である。
【０１５５】
ストラップ取付部３１からショルダーストラップ４０を取り外せると、カメラ３０から取り外されたショルダーストラップ４０は、ベルト４１０の端部に接続されたナスカン４１と、ベルト４２０の端部に接続されたナスカン４１とを接続することで、環状になる。首掛け、肩掛け（袈裟掛け、たすき掛け、斜め掛け、または背中掛けなど）のように、ショルダーストラップ４０が身体に掛けられた状態から、一旦ショルダーストラップ４０をカメラ３０から取り外して、カメラ３０を手で持ちながら撮影する。このとき、三脚を使用した撮影に切り替えるとき、環状になったショルダーストラップ４０は首や肩に掛けた状態のままにすることができる。このため、カメラ３０から取り外したショルダーストラップ４０をわざわざ別の場所に格納する必要がなくなる。よって、このようなカメラ３０とショルダーストラップ４０との間の構造は、使い勝手がよい構造である。
【０１５６】
このように、カメラ３０を簡単かつ一瞬にしてショルダーストラップ４０から取り外すことができる。また、カメラ３０に取り付けられたショルダーストラップ４０のベルト４１０及びベルト４２０を、簡単かつ一瞬にしてカメラ３０に取り付けられた片方のシングルカプラー１に取り付けることができる。このため、カメラ３０を容易に１点で吊ることができる。よって、２点吊りと１点吊りとの両方を簡単かつ一瞬にして切り替えることができる。
【０１５７】
２点吊りしかできない場合、カメラ３０の前面において、短辺を地面に対して平行にして撮影するとき、ファインダー接眼窓と目との間にショルダーストラップ４０が入り込む。このため、ユーザ６０は、ファインダー接眼窓を覗きにくくなる。また、撮影された写真をカメラ３０の背面に設けられた液晶モニター（液晶ディスプレイ）で確認するとき、液晶モニターと目との間にもショルダーストラップ４０が入り込む。よって、ユーザ６０が撮影された写真を確認し難いという弊害が生じる。
【０１５８】
ミラーレス一眼のカメラの中で、元々ファインダー接眼窓がない一部の機種の場合、ファインダー接眼窓を覗く代わりにカメラ３０の背面の液晶モニターを見ながら撮影する。この場合であっても、上記弊害と同様の弊害が生じる。
【０１５９】
カメラ３０に設けられた２つのストラップ取付部３１のうち、片方にのみショルダーストラップ４０が取り付けられる１点吊りでは、上記の弊害を回避することができる。また、このとき、カメラ３０の片方のストラップ取付部３１からショルダーストラップ４０が延伸していないため、カメラ３０の上部にある操作ボタンに触れやすくなるという効果を奏する。
【０１６０】
また、カメラ３０を三脚に取り付けて撮影を行うとき、ショルダーストラップ４０をカメラ３０から取り外さずに、カメラ３０に対して２点吊りから１点吊りに切り替える。これにより、ショルダーストラップ４０がカメラ３０の上部において片側にのみ接続されている状態にすることができる。このため、ショルダーストラップ４０が下方に垂れ下がるとしても、ファインダー接眼窓と目との間にショルダーストラップ４０が入り込むことがない。また、液晶モニターと目との間にショルダーストラップ４０が入り込むことがない。これにより、ファインダー接眼窓を覗きにくくなったり、撮影された写真を液晶モニターで確認し難いという弊害を生じない。
【０１６１】
また、２点吊りしかできない場合において、ユーザがリュックサック（デイバック）を背負ったり、ショルダーバッグを肩掛けしたり、ウェストバックを腰に巻いたり、その他複数の荷物を持っている状態を考える。これらの状態で、カメラ３０を首掛けまたは肩掛けで持ち運ぶとき、荷物のストラップとカメラ３０の上部の２点に取り付けられたショルダーストラップ４０とが複雑に絡まりやすくなる。これに対し、１点吊りの場合、身体に複数のストラップが掛かっている状態、つまり、複数の物を同時に持ち運ぶとき、ショルダーストラップ４０を、実質１本にまとめることができる。このため、ショルダーストラップ４０と他の荷物とがぶつかることを回避または軽減することができる。よって、１点吊りの場合、カメラ３０とショルダーストラップ４０との間の構造は、使い勝手がよい構造になる。
【０１６２】
また、通常、複数のカメラに対してそれぞれ個々にショルダーストラップが取り付けられているため、カメラの台数と同じ本数のショルダーストラップを用意する必要がある。これに対し、本発明はカメラからショルダーストラップを簡単かつ一瞬にして着脱することができるため、１本のショルダーストラップを複数のカメラに用いることができる。したがって、複数のショルダーストラップを用意する必要がなくなり、１本のショルダーストラップを用意するだけでよい。このため、ショルダーストラップを用意する費用が削減される。また、カメラ専用のバッグやケース等に複数のカメラを収納するときや、防湿庫に複数のカメラを収納するとき、各カメラに取り付けられたショルダーストラップが収納スペースを大きく占領するといった弊害を回避することができる。
【０１６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１６４】
１                            シングルカプラー（ストラップ取付部品）
１０、１０Ａ〜１０Ｆ          織物テープ（帯部材）
１０Ｇ                        弾性樹脂テープ（帯部材）
１１、１１Ａ                  輪（接続部）
１１Ｃ                        孔部（接続部）
１２、１２Ａ、１２Ｃ          輪（接続部）
１３                          輪（掛止部）
２０、２０Ａ、２０Ｂ、２０Ｃ  サルカン（中空部材）
２１、２１Ａ                  中空部
３０                          カメラ
３１                          ストラップ取付部
４０                          ショルダーストラップ（ストラップ）
５０                          ハンドストラップ（ストラップ）
１０１                        ダブルカプラー（ストラップ取付部品）
１１０                        織物テープ（帯部材）
１１０Ａ、１１０Ｂ            弾性樹脂テープ（帯部材）
１１１、１１１Ａ              輪（接続部）
１１２、１１２Ａ              輪（接続部）
１１３                        輪（掛止部）
４１                          ナスカン（着脱部）
４３                          保護プロテクター（保護部）
【図１】
0006757974.tif 000002
【図２】
0006757974.tif 000003
【図３】
0006757974.tif 000004
【図４】
0006757974.tif 000005
【図５】
0006757974.tif 000006
【図６】
0006757974.tif 000007
【図７】
0006757974.tif 000008
【図８】
0006757974.tif 000009
【図９】
0006757974.tif 000010
【図１０】
0006757974.tif 000011
【図１１】
0006757974.tif 000012
【図１２】
0006757974.tif 000013
【図１３】
0006757974.tif 000014
【図１４】
0006757974.tif 000015
【図１５】
0006757974.tif 000016